(57)【要約】【課題】端子箱の端子の接地のためのクリップを確実に行うと共に、振動等で外れることのない、確実性、信頼性のある端子箱用クリップを提供すること。【解決手段】導電性の端子台と、端子台に取り付けられ互いに導通状態となる複数の端子と、を内部に有する端子箱内の端子を接地するための端子箱用クリップであって、一対の部材１２ａ、１２ｂをその途中位置で軸着し、一方の端部で端子箱内の端子を挟持可能で且つ挟持方向に付勢されたクリップ本体部を有し、一方の部材１２ａの挟持側端部に、押圧された状態で外方へ付勢力を発揮する板バネ部１６と、他方の部材１２ｂの挟持側端部に、板バネ部１６を端子箱の側壁と端子台との間に少なくとも端子台に接触するように差し入れた状態で、端子箱を外側から係止し、付勢部１６の差し入れた状態を保持する係止爪１８ａと、を有するように構成した。【選択図】図１
2010140778.tif 000002
【特許請求の範囲】
【請求項１】
導電性の端子台と、該端子台に取り付けられ互いに導通状態となる複数の端子と、を内部に有する端子箱内の前記端子を接地するための端子箱用クリップにおいて、
一対の部材をその途中位置で軸着し、一方側の端部で前記端子箱内の端子を挟持可能で且つ挟持方向に付勢されたクリップ本体部を有し、
前記挟持側端部の一方の部材に、
押圧された状態となったときに外方へ付勢力を発揮するように設けられた付勢部と、
前記挟持側端部の他方の部材に、
前記付勢部を前記端子箱の側壁と前記端子台との間に少なくとも前記端子台に接触するように差し入れた状態で、前記端子箱を外側から係止し、前記付勢部の差し入れた状態を保持する係止部と、
を有することを特徴とする端子箱用クリップ。
【請求項２】
前記付勢部は、
前記挟持側端部の前記一方の部材の先端部を折り返して形成した板バネ部であることを特徴とする請求項１に記載の端子箱用クリップ。
【請求項３】
前記係止部は、
前記挟持側端部の前記一方の部材より長く形成された前記他方の部材の先端部に設けられ前記一方の部材側に突出する係止爪によって形成されたことを特徴とする請求項１又は２に記載の端子箱用クリップ。
【発明の詳細な説明】
【技術分野】
【０００１】
本発明は、端子箱用クリップ、特に各家庭への配電が端子箱を経由して行われている配電路で停電事故が発生し復旧作業を行う場合に、端子箱の端子を接地するために使用する端子箱用クリップに関する。
【背景技術】
【０００２】
各家庭への配電は端子箱を経由して行われている。図４は、その端子箱の設置状況を説明する図である。電柱１０１の上部には高電圧が印加された高圧線１００が架線されている。高圧線１００から分岐された引下線１０２は変圧器１０３に接続され、変圧器１０３により電圧が降圧される。降圧された電圧は、低圧線１０７により端子箱１１０に導かれ、各家庭に配電される。すなわち、端子箱１１０には各家庭への配電線（図示していない）が接続されている。なお、端子箱１１０は、電柱１０１の所定高さ位置に固定された腕金アーム１０５に取付金具等を介して固定され、短絡防止等のために蓋部１１２が被せられている。
【０００３】
図５は端子箱１１０の構成を示しており、同図（Ａ）は正面図、同図（Ｂ）は一部断面側面図である。ただし、正面図では蓋部１１２を外した状態を示している。端子箱１１０の内部には、導電性の端子台１１１と、この端子台１１１に取り付けられ互いに導通状態となる５個の端子Ｔ１〜Ｔ５が収容されている。例えば、端子Ｔ５には変圧器１０３からの低圧線１０７が接続され、端子Ｔ１〜Ｔ４には、前述の各家庭への配電線が接続される構成になっている。なお、端子Ｔ１〜Ｔ５は電気的に導通しており、低圧線１０７や各配電線の端子台１１１への取り付けは、各端子には雄ねじが螺刻されており、端子の頭部を回転して行うように構成されている。また、端子台１１１と側壁１１０ａと間には隙間Ｗがあり、側壁１１０ａ及び蓋部１１２は短絡事故等を防止するため絶縁性の材料で構成されている。
【０００４】
各家庭への配電路で停電事故が発生した場合、復旧作業を早急に行う必要が生じる。この復旧作業は、逆充電防止対策として端子箱１１０の端子台１１１を接地短絡器具のクリップで挟持し、接地した状態で行われる。なお、接地短絡器具は、設備機器の点検、試験、修理等を行う場合に感電の危険を防止するために必要不可欠な器具である（例えば、特許文献１、２）。
【０００５】
図６は、従来の接地短絡器具のクリップで端子箱の端子をクリップしている様子を示す。クリップ１２０は、回転軸１１６により回動可能に軸支された一対の回動部材１１４ａ、１１４ｂと、それらの回動部材１１４ａ、１１４ｂの互いに対向する端部同士を圧接させる方向に付勢する付勢手段（図示していない）とを有しており、回動部材１１４ａ、１１４ｂの一方側の端部で端子の頭部を挟む構成になっている。他方側の端部は絶縁材料で被覆された把持部１１８ａ、１１８ｂであり、回動部材１１４ｂにはリード線１２３が接続されており、クリップ１２０が端子台１１１の端子Ｔ１〜Ｔ５の何れかの端子をクリップすることにより、端子台１１１を接地することができ、復旧作業を開始することが可能になる。
【０００６】
【特許文献１】実開平５−６１９５８号公報
【特許文献２】実開平７−７０７６号公報
【発明の開示】
【発明が解決しようとする課題】
【０００７】
従来のクリップは、端子の頭部を簡単に挟むことができるものの、僅かな振動等でクリップが外れてしまう危険性が高い。クリップが外れると停電部位の接地状態が解除され逆充電により感電する恐れがある。したがって、従来の接地短絡器具のクリップではクリップ状態の確実性、信頼性が乏しく、復旧作業中に常にクリップ状態を監視しなければならず、安心して作業を行うことができず、作業効率も低下していた。
【０００８】
本発明は、上記課題に鑑みてなされたものであり、その目的は、端子箱の端子の接地のためのクリップを確実に行うと共に、振動等で外れることのない、確実性、信頼性のある端子箱用クリップを提供することにある。
【課題を解決するための手段】
【０００９】
上記目的を達成するため、請求項１に記載の端子箱用クリップは、
導電性の端子台と、該端子台に取り付けられ互いに導通状態となる複数の端子と、を内部に有する端子箱内の前記端子を接地するための端子箱用クリップにおいて、一対の部材をその途中位置で軸着し、一方側の端部で前記端子箱内の端子を挟持可能で且つ挟持方向に付勢されたクリップ本体部を有し、前記挟持側端部の一方の部材に、押圧された状態となったときに外方へ付勢力を発揮するように設けられた付勢部と、前記挟持側端部の他方の部材に、前記付勢部を前記端子箱の側壁と前記端子台との間に少なくとも前記端子台に接触するように差し入れた状態で、前記端子箱を外側から係止し、前記付勢部の差し入れた状態を保持する係止部と、を有することを特徴とする。
【００１０】
斯かる構成を採用することにより、一対の部材からなる端子箱用クリップのクリップ本体部は、一方の部材の挟持側端部に付勢部が形成され、他方の部材の挟持側端部に係止部が形成される。したがって、付勢部が端子台と端子箱の側壁との間に挿入され押圧された状態で外方へ付勢力を発揮し、端子台との電気的な接触が的確に確保される。そして、係止部が端子箱を外側から係止し付勢部の差し入れた状態を保持する。したがって、端子台と付勢部との電気的な接続が振動等によって開放することが防止され、作業者等が端子箱用クリップに触れたとしても簡単に外れることが防止される。
【００１１】
請求項２に記載の端子箱用クリップは、請求項１に記載の端子箱用クリップにおいて、
前記付勢部は、前記挟持側端部の前記一方の部材の先端部を折り返して形成した板バネ部であることを特徴とする。したがって、付勢部を複雑な構成とせずに挟持側端部を折り返すだけの簡単な構成で形成することが可能であり、端子箱用クリップの低コスト化、量産化が達成される。
【００１２】
請求項３に記載の端子箱用クリップは、請求項１又は２に記載の端子箱用クリップにおいて、
前記係止部は、前記挟持側端部の前記一方の部材より長く形成された前記他方の部材の先端部に設けられ前記一方の部材側に突出する係止爪によって形成されたことを特徴とする。したがって、他方の部材の長さを調整することで、係止爪により端子箱の角部を係止することが可能となり、端子箱用クリップによる接地状態において端子箱用クリップが外れることを確実に防止することとなる。
【発明の効果】
【００１３】
本発明の端子箱用クリップによれば、付勢部によって端子台との電気的な接触が的確に確保され、係止部によって付勢部の差し入れた状態が保持される。したがって、端子台と付勢部との電気的な接続が振動等によって開放することが防止され、作業者等が端子箱用クリップに触れたとしても簡単に外れることが防止される。これにより、停電時の復旧作業を安心して行うことが可能であり、復旧作業の効率が大幅に向上する。
【発明を実施するための最良の形態】
【００１４】
（第１の実施の形態）
本発明の第１の実施の形態を、以下図面を参照しながら詳述する。図１は、端子箱用クリップの正面図である。端子箱用クリップ１０は、クリップ本体部を構成する金属製の一対の部材１２ａ、１２ｂが回転軸１４により回動可能に構成されている。すなわち、一対の部材１２ａ、１２ｂは、それぞれの略中央部分で回動軸１４により軸支され、一方の端部を互いに近接させると他方の端部は互いに離反するように構成されている。ここで、回転軸１４にはバネ１３が取り付けられており、このバネ１３は一対の部材１２ａ、１２ｂの互いに対向する一方の端部同士を、圧接させる方向に付勢している。なお、このバネ１３により圧接させられる側を挟持側端部と称する。
【００１５】
ここで、本発明の特徴の一つとして、クリップ本体部を構成する一対の部材１２ａ、１２ｂの内で、一方の部材１２ａの挟持側端部が折り返されて、付勢部である板バネ部１６が形成されている。板バネ部１６の形成方法は、例えば通常の手法に従い、一方の部材１２ａを構成する金属材料を選択し、焼き入れ等の方法により製作することができ、使用する環境等に応じて板バネ部１６のバネの強さを設定することができる。
【００１６】
他方の部材１２ｂは、一方の部材１２ａより挟持側端部側が長く形成されており、その先端部に係止爪１８ａが形成されている。すなわち、他方の部材１２ｂの挟持側端部には、延出部１８と係止爪１８ａが形成されている。延出部１８は、一方の部材１２ａよりも外側に延出して形成されており、その延出部１８の先端部に係止爪１８ａが一方の部材１２ａ側に突出して形成されている。この係止爪１８ａが端子箱１１０の角部を係止するようになっている。
【００１７】
なお、一対の部材１２ａ、１２ｂの挟持側端部と反対側の端部は、作業者が感電しないように絶縁材等が被せられた把持部２０ａ、２０ｂとなっている。また、一方の部材１２ａにはリード線２２が接続され、接地短絡器具等に電気的に接続される構成になっている。
【００１８】
図２は、端子箱用クリップ１０の使用状態を示し、同図（Ａ）は側面図、同図（Ｂ）は上面図である。一方の部材１２ａの挟持側端部に形成された板バネ部１６は、端子箱１１０の端子台１１１と側壁１１０ａの隙間Ｗに挿入されており、端子台１１１と電気的な接触が為される。このとき、板バネ部１６は押圧された状態で外方、すなわち挿入方向と垂直で端子台１１１及び側壁１１０ａ側へ付勢力を発揮している。したがって、端子台１１１と板バネ部１６の電気的な接触が的確に確保され、この電気的な接続は振動等によって開放することが防止される。
【００１９】
他方の部材１２ｂの延出部１８の先端部の係止爪１８ａは、板バネ部１６を端子箱１１０の側壁１１０ａと端子台１１１との間に少なくとも端子台１１１に接触するように差し入れた状態で、端子箱１１０を外側から係止し、板バネ部１６の差し入れた状態を保持している。なお、係止爪１８ａが端子箱１１０の角部を係止するように、延出部１８の延出長さが調整されている。また、係止爪１８ａの角部への微調整は、板バネ部１６の挿入深さにより行うことも可能である。この係止部である係止爪１８ａは、端子箱１１０を外側から係止し板バネ部１６の差し入れた状態を保持する。したがって、作業者等が端子箱用クリップ１０に触れたとしても簡単に外れることが防止される。
【００２０】
なお、図２では、端子台１１１の端子Ｔ１に、端子箱用クリップ１０を取り付けた状態を示しているが、他の端子に取り付ける場合についても同様である。また、前述のように端子Ｔ１〜Ｔ５は電気的に導通しており、例えば端子Ｔ１に家庭への配電線が取り付けられており、端子Ｔ１に端子箱用クリップ１０が取り付けられない場合には、他の端子に端子箱用クリップ１０を取り付けることで、同様に復旧作業が行うことが可能である。
【００２１】
上述のように構成することで、以下に示す効果が発揮される。挿入された板バネ部１６は、端子台１１１の金属部分に接触してリード線２２と端子台１１１は電気的に接触するように構成されており停電時の復旧作業を開始することが可能となる。そして、板バネ部１６は、弾性力を有しているので、端子台１１１と側壁１１０ａとの隙間Ｗに挿入された状態で外方へ付勢力を発揮するので、端子台１１１と板バネ部１６との電気的な接触が、クリップの振動等により開放されることが防止される。また、取り付けられた端子箱用クリップ１０は、係止爪１８ａがちょうど端子箱１１０の角部を係止するので、作業者等が端子箱用クリップ１０に誤って触れても容易に外れることが防止される。
【００２２】
したがって、上記の第１の実施の形態の端子箱用クリップによれば、端子箱の端子の接地のためのクリップが確実に行われると共に、端子箱用クリップが振動等で外れることのないので、復旧作業を安心して行うことができ、復旧作業の効率が大幅に向上することとなる。
【００２３】
（第２の実施の形態）
図３は、本発明の第２の実施の形態に係る端子箱用クリップ３０を端子箱１１０に取り付けたときの上面図を示す。第１の実施の形態との違いは、他方の部材１２ｂに延出部と係止爪がなく、部材１２ａ、１２ｂの挟持側の先端部までの長さがほぼ等しいことにある。
【００２４】
本実施の形態では、他方の部材１２ｂの挟持側端部の係止部２１は、板バネ部１６を端子箱１１０の側壁１１０ａと端子台１１１との間に少なくとも端子台１１１に接触するように差し入れた状態で、端子箱１１０を外側から係止し、板バネ部１６の差し入れた状態を保持するように形成されている。このように構成することで、作業者等が端子箱用クリップに触れた場合でも容易に外れることが防止される。第１の実施の形態の端子箱用クリップに比べて延出部がないので小型にできるのがメリットである。延出部と係止爪が共にあるものとの使い分けは、より確実に端子の接地のためのクリップを行う場合は、延出部と係止爪が共にあるものを使用することができる。
【００２５】
上記の第２の実施の形態の端子箱用クリップ３０によれば、第１の実施の形態と同様に、挿入された板バネ部１６は、端子台１１１の金属部分に接触してリード線２２と端子台１１１は電気的に接触するように構成されており、停電時の復旧作業を開始することが可能となる。そして、板バネ部１６は、弾性力を有しているので、端子台１１１と側壁１１０ａとの隙間Ｗに挿入された状態で外方へ付勢力を発揮するので、端子台１１１と板バネ部１６との電気的な接触が、クリップの振動等により開放されることが防止される。また、取り付けられた端子箱用クリップは、他の部材１２ｂの挟持側端部の係止部２１により、端子箱用クリップに誤って触れても容易に外れることが防止される。したがって、復旧作業を安心して効率良く行うことができることとなる。
【００２６】
なお、本発明は上述の第１の実施の形態、第２の実施の形態に限定されるものではなく、本発明の趣旨を逸脱しない範囲で種々の変更が可能である。例えば、他方の部材の係止部は、延出部と延出部の先端部に係止爪を有する構成になっているが、端子箱の特定の外側形状を係止するように複雑な構成にしても良い。
【図面の簡単な説明】
【００２７】
【図１】本発明の第一の実施の形態に係る端子箱用クリップの平面図である。
【図２】図１の端子箱用クリップを端子箱で使用している様子を示す側面部（同図（１））と上面部（同図（ｂ））である。
【図３】本発明の第二の実施の形態に係る端子箱用クリップであって、端子箱で使用している様子を示す上面図である。
【図４】端子箱の設置の状態を示す説明図である。
【図５】端子箱の正面図（同図（ａ）、但し蓋部を外した状態である）と一部断面側面図（同図（ｂ））である。
【図６】従来のクリップを端子台で使用している様子を示す説明図である。
【符号の説明】
【００２８】
１０、３０  端子箱用クリップ
１２ａ、１２ｂ  部材
１４  回転軸
１６  板バネ部（付勢部）
１８  延出部
１８ａ  係止爪（係止部）
２０ａ、２０ｂ  把持部
２１  係止部
２２  リード線
１１０  端子箱
１１１  端子台
１１０ａ  側壁
Ｗ  端子台と側壁との隙間
【図１】
2010140778.tif 000003
【図２】
2010140778.tif 000004
【図３】
2010140778.tif 000005
【図４】
2010140778.tif 000006
【図５】
2010140778.tif 000007
【図６】
2010140778.tif 000008